(57)【要約】【課題】バリアブルカットオフ印刷機に関し、ブランケットや刷版の交換作業を容易に行なえ、ブランケットや刷版を容易に加工できるようにする。【解決手段】走行するウェブを挟むようにウェブの両面にそれぞれ配設され外周にブランケット５を装備した第１，第２のブランケット胴３，３と、各ブランケット５に接触する刷版４を外周に装備した第１，第２の版胴２，２とを有し、第１のブランケット胴及び該第１の版胴と、該第２のブランケット胴及び該第２の版胴が、支持位置を可変に構成されて、第１，第２のブランケット胴及び第１，第２の版胴のそれぞれを外径の異なるものに交換してカットオフ長さを変更するものであって、ブランケット５及び刷版４がいずれも有端の板状に構成されてそれぞれ対応するブランケット胴３又は版胴２の外周に巻き付けて装着され、テンションバーを周り止めして版胴端部を保持する保持機構を設ける。【選択図】        図１
2008120092.tif 000002
【特許請求の範囲】
【請求項１】
走行するウェブを挟むように該ウェブの両面にそれぞれ配設され外周にブランケットを装備した第１，第２のブランケット胴と、
該第１のブランケット胴の該ブランケットに接触する刷版を外周に装備した第１の版胴、及び該第２のブランケット胴の該ブランケットに接触する刷版を外周に装備した第２の版胴とを有し、
該第１のブランケット胴及び該第１の版胴のうち少なくともいずれか一方と、該第２のブランケット胴及び該第２の版胴のうち少なくともいずれか一方とが、支持位置を可変に構成されて、上記の第１，第２のブランケット胴及び上記の第１，第２の版胴のそれぞれを外径の異なるものに交換することによりカットオフ長さを変更しうるバリアブルカットオフ印刷機であって、
該ブランケット及び該刷版が、いずれも有端の板状に構成されて、それぞれ対応する該ブランケット胴又は該版胴の外周に巻き付けて装着されるとともに、
該刷版の端部を挟持する側に押圧するテンションバーを周り止めすることによって該端部を保持する保持機構が設けられている
ことを特徴とする、バリアブルカットオフ印刷機。
【発明の詳細な説明】
【技術分野】
【０００１】
本発明は、走行するウェブの両面にそれぞれ印刷を行なう輪転式の印刷機であって、各ブランケット胴や各版胴をそれぞれ外径の異なるものに交換することによりカットオフ長さを変更しうるバリアブルカットオフ印刷機に関する。
【背景技術】
【０００２】
輪転式の印刷機には、ウェブ（連続紙）の両面に印刷を施すために、図１０に示すように、ウェブ１の各面（ここでは、上面と下面）にそれぞれ、版胴２ａ，２ｂとブランケット胴３ａ，３ｂとがそなえられる。また、版胴２ａ，２ｂの表面には刷版４ａ，４ｂがそなえられ、ブランケット胴３ａ，３ｂの表面にはブランケット５ａ，５ｂがそなえられる。なお、以下の説明では、版胴，ブランケット胴，刷版，ブランケットについて、上下のものを区別しない場合はそれぞれ符号２，３，４，５で示す。
【０００３】
かかる輪転式印刷機械において、印刷内容を変更する際に、刷版やブランケットの周長の変更、即ち、印刷胴（版胴２及びブランケット胴３）の直径の変更が要求される場合がある。このような要求に対しては、一般に、印刷胴２，３や刷版４やブランケット５をいずれも取り替えるとともに、図１０に実線及び一点鎖線で示すように、一部の印刷胴２，３の軸支持位置を変更しなくては対応できない。
【０００４】
しかし、印刷胴は重量の大きな鋼鉄製の軸をそなえているため、これらを取り替えるのは大きな作業負担となり、交換作業に要するコストや時間を膨大に費やしてしまう。
そこで、印刷胴を、重量の大きな軸部と、この軸部に外嵌される円筒状のスリーブとに分割構成して、軸部は取り替えずにスリーブを外径の異なるものに取り替えて、印刷胴の直径を変更できるようにした技術（このような印刷機はカットオフ長を変更できることからバリアブルカットオフ印刷機と呼ぶ）が開発されている（例えば、特許文献１，特許文献２，特許文献３参照）。
【０００５】
例えば、特許文献１の技術では、図１１に示すように、印刷胴１０２，１０３は、鋼鉄製の軸部１１１と、この軸部１１１の外周に嵌装される内側円筒（スリーブ）１１２，外側円筒１１３とから構成されている。なお、内側円筒１１２は、内層１１２ａと外層１１２ｃと中間層１１２ｂとからなっている。内側円筒１１２は軸部１１１に対して着脱可能であり、外側円筒１１３は内側円筒１１２に対して着脱可能である。また、外側円筒１１３には、一体又別体に刷版が装備されている。
【０００６】
かかる構成により、印刷を変更するには、外側円筒１１３を内側円筒１１２から外して所要の刷版を有する外側円筒１１３を内側円筒１１２に取り付ける。また、印刷胴１０２，１０３の直径を変更するには、内側円筒１１２を軸部１１１から外して所要の外径を有する内側円筒１１２を軸部１１１に取り付けるようにする。これにより、重量のある軸部１１１は取り替えずに、軽量な内側円筒１１２のみを取り替えるだけで、印刷胴の直径を変更することができる。
【０００７】
なお、この技術では、外側円筒１１３の交換時には、内側円筒１１２を軸部１１１から外して内側円筒１１２の両端を図示しないプラグで塞いで、内部に圧縮空気を供給することで、貫通孔１１４から内側円筒１１２外周と外側円筒１１３内周との間に圧縮空気を供給して空気層を形成させた状態で内側円筒１１２から外側円筒１１３を外し、同様に内側円筒１１２外周と外側円筒１１３内周との間に空気層を形成させるようしながら、所要の外側円筒１１３を内側円筒１１２外周に嵌装させるようにする。
【０００８】
また、特許文献２の技術では、図１２に示すように、版胴２０２，ブランケット胴２０３は、軸部２１１と、この軸部２１１の外周に嵌装される筒状のスリーブ（サドル）２１２とから構成され、各スリーブ２１２の外周には、印刷版２０４，ブラケット２０５が装備されている。そして、印刷胴２０２，２０３の各軸部２１１が印刷ユニット２０１内に装着された状態で、印刷ユニット２０１の側壁に設けられたドア２１３を開放して、このドア開口から各スリーブ２１２を軸方向に着脱できるようになっている。
【０００９】
そして、各スリーブ２１２として、図１３に示すように、内径は同一で外径が異なるスリーブ２１２ａ〜２１２ｅを複数用意して、印刷胴２０２，２０３の直径を変更するには、各スリーブ２１２を軸部２１１から外して、所要の刷版を有し所用の外径のスリーブ２１２を軸部２１１に取り付ける。これにより、重量のある軸部２１１は取り替えずに、軽量なスリーブ２１２のみを取り替えるだけで、印刷胴の直径を変更することができる。
【００１０】
なお、この技術では、スリーブ２１２の軸部２１１への着脱を、前述のように圧縮空気を利用して行なっている。
また、特許文献２には、印刷版を装着するスリーブ２１２の表面に、図１３に示すような溝２１４を設けて、従来の平板状の印刷版を装着するようにしても良い旨も記載されている。
【特許文献１】特許第３２２３７８８号公報
【特許文献２】特開平９−１８３２０８号公報
【特許文献３】特開２００１−３２２２４０号公報
【発明の開示】
【発明が解決しようとする課題】
【００１１】
しかしながら、上述の従来の技術では、特許文献２に平板状の印刷版を使用する旨の記載はあるものの、いずれの場合も、少なくともブランケットについては円筒状に構成している。このように、ブランケットを円筒状に構成すれば、ギャップがなくなるため継ぎ目のない印刷には適しているものの、ブランケットの交換作業が煩雑になり、ブランケットの内径も高い精度が要求され、ブランケットを用意するのにコスト高を招くという不具合がある。
【００１２】
つまり、円筒状のブランケットや刷版を着脱するには、例えば圧縮空気を利用するなどして、ブランケットや刷版の内径をスリーブ等の外径よりも一時的に大きくして行なう必要があり、しかも軸方向に長さのある版胴を軸方向に着脱する作業は容易ではない。また、装着した円筒状のブランケットや刷版とスリーブ等との間に隙間が生じたりしては印刷に重大な支障をきたすので、円筒状のブランケットや刷版は高い精度で形成されなくてはならず、製造コストの増大を招く。
【００１３】
本発明は、上述の課題に鑑み創案されたもので、ブランケットや刷版の交換作業を容易に行なえ、ブランケットや刷版に加工の容易なものを採用することができるようにした、バリアブルカットオフ印刷機を提供することを目的とする。
【課題を解決するための手段】
【００１４】
上記目的を達成するために、本発明は、走行するウェブを挟むように該ウェブの両面にそれぞれ配設され外周にブランケットを装備した第１，第２のブランケット胴と、該第１のブランケット胴の該ブランケットに接触する刷版を外周に装備した第１の版胴、及び該第２のブランケット胴の該ブランケットに接触する刷版を外周に装備した第２の版胴とを有し、該第１のブランケット胴及び該第１の版胴のうち少なくともいずれか一方と、該第２のブランケット胴及び該第２の版胴のうち少なくともいずれか一方とが、支持位置を可変に構成されて、上記の第１，第２のブランケット胴及び上記の第１，第２の版胴のそれぞれを外径の異なるものに交換することによりカットオフ長さを変更しうるバリアブルカットオフ印刷機であって、該ブランケット及び該刷版が、いずれも有端の板状に構成されて、それぞれ対応する該ブランケット胴又は該版胴の外周に巻き付けて装着されるとともに、該刷版の端部を挟持する側に押圧するテンションバーを周り止めすることによって該端部を保持する保持機構が設けられていることを特徴としている。
【００１５】
上記の第１，第２のブランケット胴及び上記の第１，第２の版胴が、いずれも、軸部と、該軸部の外周に着脱可能に外嵌されるスリーブとをそなえ、該スリーブを外径の異なるものに交換することでカットオフ長さを変更するように構成されるとともに、該ブランケット及び該刷版がいずれも該スリーブの外周に巻き付けて装着されることが好ましい（。
この場合、該ブランケット又は該刷版は、該スリーブの外周に接着により装備されること、或いは、該ブランケット又は該刷版は、該スリーブの外周に磁力吸着により装備されることが好ましい。
【００１６】
さらに、該スリーブに、該ブランケット又は該刷版との位相合わせをするための目印が設けられていることが好ましい。
また、該ブランケット又は該刷版は、該スリーブの外周に形成された係止溝に係止されることにより装着されることが好ましい。
あるいは、上記の第１，第２のブランケット胴及び上記の第１，第２の版胴が、いずれも、軸部と、該軸部の外周に着脱可能に外嵌されるスペーサ部材とをそなえ、該スペーサ部材を厚みの異なるものに交換することでカットオフ長さを変更するように構成されるとともに、該ブランケット及び該刷版がいずれも該スペーサ部材の外周に巻き付けて装着されることが好ましい。
【００１７】
この場合、該スペーサ部材は、該軸部の外周に磁力吸着により装備されること、或いは、該スペーサ部材は、該軸部の外周に接着により装備されることが好ましい。
さらに、該スペーサ部材は、可撓性材料で構成されていることが好ましい。
あるいは、該スペーサ部材は、それぞれ円筒を分割形成された湾曲板状の複数の分割型材により構成されていることが好ましい。
【００１８】
また、該ブランケット及び該刷版の少なくともいずれか一方は、基部の金属層の上に厚み調整層を有する層状可撓性板状体として構成されるとともに、該金属層の周方向の長さは等しいが該厚み調整層の厚みの異なる複数の該層状可撓性板状体がそなえられ、該層状可撓性板状体を交換することにより、上記の第１，第２のブランケット胴及び上記の第１，第２の版胴のいずれかを外径の異なるものに交換してカットオフ長さを変更しうるように構成されていてもよい。
【００１９】
さらに、互いに接触する該刷版と該ブランケットとが、それぞれのギャップを１８０度だけ位相ずれさせた状態で接触していることも好ましい。
また、上記の刷版又はブランケットが、基部の金属層の上に接着され、該金属層が該スリーブに固定されていることも好ましい。
さらに、該スリーブが圧縮性のない中間層（特に、軽量中間層が好ましい）で構成されていることも好ましい。
【発明の効果】
【００２０】
本発明のバリアブルカットオフ印刷機によれば、ブランケット及び刷版がいずれも有端の板状に構成されてそれぞれ対応するブランケット胴又は版胴の外周に巻き付けて装着されるので、バリアブルカットオフ印刷機における、ブランケットのブランケット胴への着脱及び刷版の版胴への着脱がいずれも容易になり、また、ブランケットや刷版の製造や刷版への画像の書き込みも容易になって、版交換及び印刷胴（ブランケット胴や版胴）の交換を容易に行なえるようになり、設備コストも軽減することができる。
【００２１】
また、保持機構が、テンションバーを周り止めすることによって刷版の端部を保持するため、版胴が版胴に確実に固定される。
上記の第１，第２のブランケット胴及び上記の第１，第２の版胴が、いずれも、軸部と、該軸部の外周に着脱可能に外嵌されるスリーブとをそなえ、該スリーブを外径の異なるものに交換することでカットオフ長さを変更するように構成され、該ブランケット及び該刷版がいずれも該スリーブの外周に巻き付けて装着されるように構成する場合、該ブランケット又は該刷版を、該スリーブの外周に接着により装備したり、磁力吸着により装備したりすることで、該ブランケット又は該刷版を該スリーブに対して容易に着脱できるようになる。
【００２２】
上記の第１，第２のブランケット胴及び上記の第１，第２の版胴が、いずれも、軸部と、該軸部の外周に着脱可能に外嵌されるスペーサ部材とをそなえ、該スペーサ部材を厚み異なるものに交換することでカットオフ長さを変更するように構成され、該ブランケット及び該刷版がいずれも該スペーサ部材の外周に巻き付けて装着されるように構成する場合、該スペーサ部材は、該軸部の外周に磁力吸着により装備したり、接着により装備したりすることで、該ブランケット又は該刷版を該スリーブに対して容易に着脱できるようになる。
【００２３】
該ブランケット及び該刷版の少なくともいずれか一方は、基部の金属層の上に厚み調整層を有する層状可撓性板状体として構成されるとともに、該金属層の周方向の長さは等しいが該厚み調整層の厚みの異なる複数の該層状可撓性板状体がそなえられ、該層状可撓性板状体を交換することにより、上記の第１，第２のブランケット胴及び上記の第１，第２の版胴のいずれかを外径の異なるものに交換してカットオフ長さを変更しうるように構成されていることにより、極めて容易に、版胴２，ブランケット胴３の外径変更を行なえるようになる。
【００２４】
さらに、互いに接触する該刷版と該ブランケットとが、それぞれのギャップが１８０度だけ位相をずらすようにして接触させれば、印刷品質を向上させることができる。
また、該スリーブが圧縮性のない中間層で構成されていれば、スリーブに印圧が加わっても、また、版胴やブランケット胴を回転駆動する駆動力を伝達する際にも、スリーブが変形することがなく、版胴やブランケット胴の偏心を防止又は抑制できるとともに、駆動力のロスやずれが生じるおそれもなくなり、これらに起因したダブりや見当不良といって印刷障害を防止又は抑制することができ、また、版胴やブランケット胴に形成されるギャップによる振動も抑制される。
【発明を実施するための最良の形態】
【００２５】
以下、図面により、本発明の実施の形態について説明する。
［第１実施形態］
図１〜図５は本発明の第１実施形態としてのバリアブルカットオフ印刷機を示すもので、図１はその模式的な構成図、図２はそのくわえ部を示す断面図、図３はその刷版及びブランケットを示す模式的な斜視図、図４はその刷版及びブランケットの材料を示す模式的な平面図、図５はその刷版及びブランケットを示す模式的な断面図である。
【００２６】
本実施形態のバリアブルカットオフ印刷機は、図１０に示すように、ウェブ１の両面（ここでは、上面と下面）にそれぞれ版胴２ａ，２ｂとブランケット胴３ａ，３ｂとがそなえられ、各版胴２ａ，２ｂの表面には刷版４ａ，４ｂがそなえられ、各ブランケット胴３ａ，３ｂの表面にはブランケット５ａ，５ｂがそなえられており、ウェブ１の両面に印刷するようになっている。なお、以下の説明では、版胴，ブランケット胴，刷版，ブランケットについて、上下のものを区別しない場合はそれぞれ符号２，３，４，５で示す。
【００２７】
そして、各版胴２ａ，２ｂ及び各ブランケット胴３ａ，３ｂを、外径の異なるものに変更することで、刷版やブランケットの周長（即ち、カットオフ長さ）を変更することにより、所要長の印刷製品に対応できるようになっている。
本印刷機では、図１に示すように、版胴２，ブランケット胴３ともに、印刷機本体側の軸受け（図示略）に軸支される軸部１１と、この軸部１１に着脱自在に嵌装されるスリーブ１２とをそなえ、スリーブ１２の外周に、刷版４又はブランケット５が装着されるようになっている。
【００２８】
スリーブ１２には、内径が同一であって所要の外周（外径）を有する複数種類のものが用意されており、軸部１１は取り替えることなくスリーブ１２のみを所望のカットオフ長さに応じた外径のものに交換するだけで、カットオフ長さを変更できるようになっている。このスリーブ交換時には、スリーブ１２を軸部１１に対して着脱することが必要になるが、この際の着脱手法は、種々の公知の技術を適用でき、例えば、既述の特許文献１，２，３に記載されているように、軸部１１の外周とスリーブ１２の内周との間に圧縮空気を供給してスリーブ１２を一時的に拡径しながら軸部１１に対して着脱させればよい。
【００２９】
また、本印刷機では、刷版４及びブランケット５は、いずれも従来の平板型のもの（即ち、有端の板状のもの）として構成されており、それぞれ対応するスリーブ１２の外周に巻き付けて装着されるようになっている。この刷版４及びブランケット５のスリーブ１２への固定は、刷版４又はブランケット５の周方向両端部をスリーブ１２の外周に形成されたくわえ部（クランプ）１３に係止させる従来の固定方法のほか、刷版４やブランケット５が軽量であることから、接着剤を用いた接着や、磁力を用いた吸着など、種々のものが適用できる。
【００３０】
刷版４又はブランケット５をくわえ部１３に係止させる場合、くわえ部１３の構成としては、特に限定されるものではなく種々の公知の技術を適用することができる。
例えば特開２０００−２７２０９３号公報の技術を適用すれば、図２に示すように構成することができる。つまり、スリーブ１２の外周には母線方向に沿って溝部１３Ａが形成され、この溝部１３Ａ内に、溝１３Ａの内壁に圧接しうるように弾性支持され刷版４やブランケット５の一端部を挟持するくわえ板１３ａと、先端で刷版４やブランケット５の他端部を係止する係止用板ばね１３ｂと、くわえ板１３ａを圧接側に係止用板ばね１３ｂを係止側にそれぞれ押圧するテンションバー１３ｃとが設けられる。
【００３１】
くわえ板１３ａは係止用板ばね１３ｂとこれに対向設置された板ばね１３ｄとで挟持され、ピン１３ｅ，皿ばね１３ｆを介してこれらの板ばね１３ｂ，１３ｄの動きがくわえ板１３ａに作用するようになっている。また、テンションバー１３ｃは、円筒面の一部に切り欠き部１３ｇが設けられており、係止用板ばね１３ｂにテンションバー１３ｃの円筒面が当接する（押圧位置）と、係止用板ばね１３ｂを刷版４やブランケット５の他端部（くわえ尻側端部）を引っ張るように押圧し、同時に、係止用板ばね１３ｂ，ピン１３ｅ，皿ばね１３ｆを介してくわえ板１３ａを刷版４やブランケット５の一端部（くわえ側端部）を挟持する側に押圧する。また、係止用板ばね１３ｂにテンションバー１３ｃの切り欠き部１３ｇが当接する（開放位置）と係止用板ばね１３ｂを開放し、係止用板ばね１３ｂにより刷版４やブランケット５の他端部（くわえ尻側端部）の係止が開放され係脱可能になり、同時に、板ばね１３ｄの付勢力が発揮されてピン１３ｅ，皿ばね１３ｆを介してくわえ板１３ａが溝１３の内壁から離隔され、刷版４やブランケット５の一端部（くわえ側端部）が着脱可能になる。なお、図示しないが、例えばテンションバー１３を周り止めするなどによって上記に示す刷版４の端部を保持する保持機構が設置されている。
【００３２】
ところで、スリーブ１２には、外径の異なるものが複数種類用意されているが、刷版４やブランケット５は、スリーブ１２の外径差が一定の範囲内にあれば、同一長さのものを共用して用いることができる。
つまり、くわえ部１３によって刷版４やブランケット５の両端部をくわえ込んでスリーブ１２の外周に固定する構造の場合、刷版４やブランケット５は、図３，図５（ａ）に示すように、メタルプレート（基部としての金属層）１４ａ，１５ａ上に、シート状の版材１４ｂやゴム材１５ｂを接合した構造として、メタルプレート１４ａ，１５ａの両端部（くわえ側端部とくわえ尻側端部）を所要の個所（符号Ｌ１，Ｌ２，Ｌ３参照）で折り曲げ加工することが必要になる。
【００３３】
折り目Ｌ１とＬ２との間の距離はスリーブ１２の直径に対応して設定し、折り目Ｌ２とＬ３との間の距離はくわえ部１３の構造に応じて決められる所定長にすることになるが、折り目Ｌ１から先の長さや折り目Ｌ３から先の長さ（折り目Ｌ２から先の長さともいえる）は、図２に二点鎖線で示すように一定の範囲（くわえ部１３で他の構造要素と干渉しない範囲）であれば自由に設定することができる。
【００３４】
そこで、図４に示すように、スリーブ１２の外径が互いに小量だけ異なるものの場合は、刷版４やブランケット５の材料プレート（折り曲げ加工前のもの）として共通のものを用いて、折り目Ｌ１，Ｌ２で曲げ加工したり、折り目Ｌ１´，Ｌ２´で曲げ加工したりして、刷版４やブランケット５にかかる材料プレートの長さの種類を抑えてコスト低減を図ることができるようになっている。
【００３５】
なお、くわえ部１３の構造によっては、図５（ｂ）に示すような曲げ構造のものもあるが、いずれの場合も、スリーブ１２の外径が互いに小量だけ異なるものの場合は、刷版４やブランケット５の材料プレート（折り曲げ加工前のもの）として共通のものを用いることができる。
また、刷版４やブランケット５を磁力によってスリーブ１２に固定する場合には、例えば、刷版４やブランケット５のメタルプレート１４ａ，１５ａ側を磁化させるとともにスリーブ１２側をこのメタルプレート１４ａ，１５ａに強く磁力反応する磁性体で構成しても良く、これと逆に、スリーブ１２側を磁化させるとともに刷版４やブランケット５のメタルプレート１４ａ，１５ａ側をこのスリーブ１２側に強く磁力反応する磁性体で構成しても良い。
【００３６】
なお、スリーブ１２の軽量化を考慮すると、スリーブ本体はアルミニウム，カーボグラファイト，プラスティック，ＣＦＲＰ（カーボン繊維強化プラスティック）やＧＦＲＰ（ガラス繊維強化プラスティック）等のＦＲＰ（繊維強化プラスティック）等を用い、スリーブ１２の表面を磁化させるには、スリーブ１２表面に磁石を埋設すればよく、スリーブ１２の表面を磁性にさせるには、スリーブ１２表面に鉄，ニッケル等の強磁性金属を埋設又は被覆すればよい。スリーブ１２表面に磁石を埋設するには、例えば特開昭６３−１３０３４５号公報に記載された磁性胴に関する技術など公知の技術を適用することができる。
【００３７】
なお、刷版４やブランケット５を接着剤によってスリーブ１２に固定する場合には、刷版４やブランケット５のメタルプレート１４ａ，１５ａを省略してもよい。この場合、刷版４やブランケット５の剛性が低くなりすぎればメタル以外のベースプレートを装備しても良い。また、接着剤によってスリーブ１２に固定する場合、刷版４やブランケット５の裏面或いはスリーブ１２の表面に接着剤を塗布して、刷版４やブランケット５の裏面を全体に或いは裏面を断続的に接着するなど種々の態様が考えられる。
【００３８】
本発明の第１実施形態としてのバリアブルカットオフ印刷機は、上述のように構成されているので、刷版４やブランケット５を交換する場合には、版胴２やブランケット胴３は移動させることなく、刷版４やブランケット５のみを交換するだけでよく、円筒状の刷版４やブランケット５の場合に比べて、刷版４の版胴２への着脱及びブランケット５のブランケット胴３への着脱がいずれも容易に行なえるようになる。
【００３９】
また、ブランケットや刷版は板状であるため、これらの製造や刷版への画像の書き込みも従来方式を採用でき容易なものになり、刷版４やブランケット５にかかる製造コストも抑制できる。
しかも、ブランケットや刷版を、スリーブ１２の外周のくわえ部１３にくわえさせて固定する場合には、板状材料（材料プレート）の各端部を折り曲げ加工することになるが、同一な板状材料に対して異なる個所で折り曲げ加工することにより、スリーブ１２の外径が互いに小量だけ異なるものに対して板状材料を共用化することができ、コスト削減に寄与しうる。
【００４０】
もちろん、板状材料を共用化できないほどスリーブ１２の外径が異なれば、板状材料として長さの異なるものを種々用意することになる。
また、刷版４やブランケット５を磁力によって版胴２やブランケット胴３に固定する場合には、着脱作業をより簡便に行なうことができる。
なお、上記実施形態では、スリーブ１２の交換のために、スリーブ１２を軸部１１に対して着脱する際の着脱手法として、軸部１１の外周とスリーブ１２の内周との間に圧縮空気を供給してスリーブ１２を一時的に拡径しながら軸部１１に対して着脱させる構成を説明したが、この場合には、例えば特許文献３に記載されているような圧縮性（圧縮変形が可能又は容易な性質を有する）の中間層が必要になり、この圧縮性の中間層を圧縮変形させることで、スリーブ１２を軸部１１に対して着脱することができる。
【００４１】
一方、版胴２やブランケット胴３には印刷時に大きな圧力（印圧）が加わるため、スリーブ１２に圧縮性の中間層（圧縮層）を設けると、この中間層が圧力によって厚み方向等に変形して偏心が発生するおそれや、このスリーブ１２が動力伝達経路の途中に介在することから動力伝達に伴い圧縮層が変形して駆動力のロスやずれが生じるおそれがある。
このような版胴２やブランケット胴３の偏心や、駆動力のロスやずれが生じると、印刷した線画にずれが生じる所謂ダブりや、見当不良といって印刷障害を招くおそれがある。もちろん、中間層の弾性特性が最適であってこの印圧により生じる印刷障害が無視できる程度であれば良いが、例えば、微小な印刷障害についても問題視する高級印刷では、無視できない場合が想定される。
【００４２】
特に、高速印刷を実施すると、インキ粘性等による紙離れ抵抗の増加などによって、版胴２やブランケット胴３にはより大きな回転反力が発生する。このとき、圧縮性の中間層の剛性が足りなくなって版胴２やブランケット胴３に捩れが発生し（即ち、軸中心とシリンダ表面との間に回転ずれが生じて）、見当不良の原因となる。また、版胴２やブランケット胴３に発生する捩れが大きくなると、圧縮性の中間層又はこの近傍でせん断破壊が発生し、中間スリーブ１２の破損を招くおそれもある。
【００４３】
また、バリアブルカットオフとして、特に中間スリーブ１２を厚くしてシリンダ外径を大きくすると、シリンダ表面の周速が大きくなって、上記と同様に、版胴２やブランケット胴３に捩れが発生し易く、見当不良や中間スリーブ１２の破損を招きやすくなる。
このような観点から、スリーブ１２には圧縮性の中間層を設けないようにする、即ち、スリーブ１２を全体として十分な剛性を有するように圧縮性のない中間層として構成することが好ましい。
【００４４】
これにより、スリーブ１２に印圧が加わっても、スリーブ１２が厚み方向等に変形しないようにすること、或いは、例え変形が生じてもこれが無視できる程度の微小変形におさまるようにすることができる。この結果、版胴２やブランケット胴３の偏心を防止又は抑制して、これに起因したダブりや、見当不良といった印刷障害について防止又は抑制することができる。
【００４５】
また、スリーブ１２がシリンダ駆動ギアから動力伝達経路の途中に介在し版胴２やブランケット胴３を回転駆動する際に、変形することがなく、駆動力のロスやずれが生じるおそれもなくなり、これに起因したダブりや、見当不良といった印刷障害について防止又は抑制することができる。
また、版胴２やブランケット胴３に形成されるギャップによって、版胴２やブランケット胴３に振動が生じ、特に、スリーブ１２に圧縮層（圧縮性の中間層）があると、この圧縮層が振動を増幅しやすいが、圧縮層を省くことで、このような振動の増幅を抑えることもできる。
【００４６】
もちろん、スリーブ１２全体の剛性は、高速印刷の場合や、中間スリーブ１２を厚くしてシリンダ外径を大きくする場合を想定して、設定する。
これによって、高速印刷の場合や、中間スリーブ１２を厚くしてシリンダ外径を大きくする場合にも、良好な印刷性能を確保することができる。
また、このように圧縮性の中間層を設けなければ、圧縮性の中間層又はこの近傍でせん断破壊が発生するおそれもなく、中間スリーブ１２の耐久性を向上させることができる。
【００４７】
なお、この圧縮性のない中間層としてのスリーブ１２には、軽量化を考慮した材料選定が好ましく、具体的には、アルミニウム，カーボグラファイト，プラスティック，ＣＦＲＰやＧＦＲＰ等のＦＲＰ等を用いればよい。これにより、上記実施形態と同様の効果を得ることができる。
また、このように、スリーブ１２には圧縮性の中間層を設けない場合、スリーブ１２を一時的に拡径しながら軸部１１に対して着脱させることはできないため、互いに接合するスリーブ１２内周面と軸部１１外周面とを、軸方向の一端側から他端側に向けて次第に縮径又は拡径したテーパ状に形成して、スリーブ１２と軸部１１とをテーパ嵌合させるようにすればよい。つまり、装着時には、スリーブ１２の大径側を先端にして、軸部１１の小径側からスリーブ１２を軸方向に移動させていき、スリーブ１２を軸部１１に重合させていけばよい。離脱時には、スリーブ１２をこれと逆に移動させればよい。
【００４８】
また、スリーブ１２の軸部１１への固定は、両接合面間に生じる摩擦力で達成しうるものと考えられるが、ボルト等の物理的な固定手段を用いても良い。
このボルト等の物理的な固定手段を用いる場合には、スリーブ１２と軸部１１との接合面をテーパにせずに円筒面状に構成して、両者間に適当なクリアランスを設けることで、スリーブ１２を軸部１１に着脱可能にしても良い。この場合、装着後には固定手段によって両者は固定されるので、両者間にクリアランスがあっても支障はない。
［第２実施形態］
図６，図７は本発明の第２実施形態としてのバリアブルカットオフ印刷機を示すもので、図６はその版胴及びブランケット胴の構成を示す模式的な断面図、図７はそのくわえ部を示す断面図である。
【００４９】
本実施形態のバリアブルカットオフ印刷機も、第１実施形態のものと同様に、ウェブ１の両面にそれぞれ版胴２ａ，２ｂとブランケット胴３ａ，３ｂとがそなえられ、各版胴２ａ，２ｂの表面には刷版４ａ，４ｂがそなえられ、各ブランケット胴３ａ，３ｂの表面にはブランケット５ａ，５ｂがそなえられており、ウェブ１の両面に印刷するようになっている（図１０参照）。
【００５０】
本印刷機では、図６に示すように、版胴２，ブランケット胴３ともに、印刷機本体側の軸受け（図示略）に軸支される胴本体（軸部を含む）２１と、この胴本体２１に着脱自在に嵌装される刷版４又はブランケット５と、胴本体２１と刷版４又はブランケット５との間に介装されるアンダパッキン（スペーサ部材）２２とから構成されており、アンダパッキン２２を厚みの異なるものに取り替えることで、版胴２，ブランケット胴３の外径を変更できるようになっている。
【００５１】
アンダパッキン２２の胴本体２１への固定は、磁力による吸着や接着剤を用いた接着など、種々のものが適当できるが、ここでは、磁力吸着によってアンダパッキン２２を胴本体２１へ固定している。この磁力吸着については、第１実施形態でも説明したが、アンダパッキン２２及び胴本体２１のいずれか一方を磁化させ、他方を鉄，ニッケル等の強磁性金属で構成するか強磁性金属を埋設するか又は強磁性金属で被覆すればよい。
【００５２】
また、アンダパッキン２２自体は、胴本体２１に柔軟に巻きつけられるように可撓性の材料で構成される。
刷版４又はブランケット５の胴本体２１への固定は、胴本体２１の外周にアンダパッキン２２を固定したさらに外周に、刷版４又はブランケット５を巻き付けて、胴本体２１の外周に形成されたくわえ部１３に刷版４又はブランケット５の両端部を咥えさせることで行なうようになっている。
【００５３】
くわえ部１３の構成としては、特に限定されるものではなく種々の公知の技術を適用することができるが、例えば第１実施形態（図２参照）と同様に、図７に示すように構成することができる。図７において、図２と同符号は同様なものを示すのでこれらの詳細な説明は省略するが、本実施形態の場合、胴本体２１の外周に溝部１３Ａが形成され、この溝部１３Ａ内に、くわえ板１３ａ，係止用板ばね１３ｂ，テンションバー１３ｃ，板ばね１３ｄ，ピン１３ｅ，皿ばね１３ｆ等が装備される。
【００５４】
そして、刷版４又はブランケット５の両端部（くわえ側端部及びくわえ尻側端部）は、例えば図３，図５に示すように曲げ加工され、両端部をそれぞれくわえ部１３に係止されることで固定される。
アンダパッキン２２には、厚みの異なる複数のものが用意されるが、これとともに、刷版４又はブランケット５はアンダパッキン２２の厚みに応じた周方向長さの物が用意されている。なお、第１実施形態と同様に、刷版４又はブランケット５は、一定長さの材料プレートの曲げ加工箇所を変えて、厚みの異なるアンダパッキン２２に対して共通の材料プレートを用いて刷版４又はブランケット５を形成しても良い。
【００５５】
本発明の第２実施形態としてのバリアブルカットオフ印刷機は、上述のように構成されているので、第１実施形態と同様に、刷版４やブランケット５を交換する場合には、版胴２やブランケット胴３は移動させることなく、刷版４やブランケット５のみを交換するだけでよく、円筒状の刷版４やブランケット５の場合に比べて、刷版４の版胴２への着脱及びブランケット５のブランケット胴３への着脱がいずれも容易に行なえるようになる。
【００５６】
また、ブランケットや刷版は板状であるため、これらの製造や刷版への画像の書き込みも従来方式を採用でき容易なものになり、刷版４やブランケット５にかかる製造コストも抑制できる。
しかも、同一な板状材料に対して異なる個所で折り曲げ加工することにより、スリーブ１２の外径が互いに微小量だけ異なるものに対して板状材料を共用化することができ、コスト削減に寄与しうる。
【００５７】
また、アンダパッキン２２を磁力によって胴本体２１に固定するので、アンダパッキン２２の着脱作業をより簡便に行なうことができる。
［第３実施形態］
図８は本発明の第３実施形態としてのバリアブルカットオフ印刷機の版胴及びブランケット胴の構成を示す模式的な断面図である。
【００５８】
本実施形態のバリアブルカットオフ印刷機は、図８に示すように、第２実施形態のものと同様に、版胴２，ブランケット胴３がともに、印刷機本体側の軸受け（図示略）に軸支される胴本体（軸部を含む）２１と、この胴本体２１に着脱自在に嵌装される刷版４又はブランケット５と、胴本体２１と刷版４又はブランケット５との間に介装されるアンダパッキン（スペーサ部材）２３とから構成されており、アンダパッキン２３を厚みの異なるものに取り替えることで、版胴２，ブランケット胴３の外径を変更できるようになっている。
【００５９】
本実施形態では、アンダパッキン２３が、円筒を分割（ここでは２つ割れ）され、それぞれ有端の湾曲板状の分割型材２３ａ，２３ｂにより構成されている。これらの分割型材２３ａ，２３ｂは、第２実施形態と同様の磁力吸着やボルト結合等の機械的結合により、胴本体２１に固定することができる。
また、刷版４及びブランケット５の構成とその固定構造は第２実施形態と同様になっている。
【００６０】
本発明の第３実施形態としてのバリアブルカットオフ印刷機は、上述のように構成されているので、第１，２実施形態と同様に、円筒状の刷版４やブランケット５の場合に比べて、刷版４の版胴２への着脱及びブランケット５のブランケット胴３への着脱がいずれも容易に行なえるようになる。
また、ブランケットや刷版は板状であるため、これらの製造や刷版への画像の書き込みも従来方式を採用でき容易なものになり、刷版４やブランケット５にかかる製造コストも抑制できる。
【００６１】
しかも、同一な板状材料に対して異なる個所で折り曲げ加工することにより、スリーブ１２の外径が互いに微小量だけ異なるものに対して板状材料を共用化することができ、コスト削減に寄与しうる。
また、アンダパッキン２３を磁力によって胴本体２１に固定する場合には、アンダパッキン２３の着脱作業をより簡便に行なうことができる。
【００６２】
また、くわえ部１３を胴本体２１に設ければこのくわえ部１３を共用して種々の外径の版胴やブラケット胴に対応でき、コスト面でも有利になる。
［第４実施形態］
図９は発明の第４実施形態としてのバリアブルカットオフ印刷機の刷版及びブランケットの構成を示す模式的な断面図である。
【００６３】
本実施形態のバリアブルカットオフ印刷機では、図９（ａ），（ｂ）に示すように、刷版３４及びブランケット３５として、厚みの異なるものが複数種類用意され、刷版３４及びブランケット３５を厚みの異なるものに取り替えることで、版胴２，ブランケット胴３の外径を変更できるようになっている。つまり、刷版３４及びブランケット３５は、メタルプレート（基部としての金属層）３４ａ，３５ａ上に版材３４ｂ又はゴム材３５ｂが固設されるが、版材３４ｂ又はゴム材３５ｂの厚みの異なる複数の刷版３４又はブランケット３５がそなえられ選択的に用いるようになっている。
【００６４】
すなわち、ブランケット３５のゴム材３５ｂは、下層から、メタル層（メタルプレート）３６，ベース層（ゴム又は基布）３７，圧縮層３８，基布３９，表面ゴム４０の各層が積層されて構成され、刷版３４の版材３４ｂも、下層から、メタル層（メタルプレート）３６，ベース層（ゴム又は基布）３７，圧縮層３８，基布３９，版材４１の各層が積層された構造になっている。
【００６５】
圧縮層３８，基布３９，表面ゴム４０，版材４１の各層は、厚さを変更すると印刷品質に影響するが、ベース層３７は印刷品質に影響しにくいので、ここでは、ベース層３７の厚みを調整することで、厚みの異なる複数種類の刷版４及びブランケット５を形成している。
なお、これらの刷版３４及びブランケット３５は、版胴２，ブランケット胴３の本体（第３実施形態の胴本体２１に対応する）外周に固定されるが、この固定は、前述のように、くわえ部（クランプ）１３に咥えさせて行なっても良く、磁力や接着を用いても良い。
【００６６】
本発明の第４実施形態としてのバリアブルカットオフ印刷機は、上述のように構成されているので、版胴２，ブランケット胴３の外径変更に極めて簡単に対応できるようにある。
もちろん、円筒状の刷版３４やブランケット３５の場合に比べて、刷版３４の版胴２への着脱及びブランケット３５のブランケット胴３への着脱がいずれも容易に行なえ、また、ブランケットや刷版は板状であるため、これらの製造や刷版への画像の書き込みも従来方式を採用でき容易なものになり、刷版３４やブランケット３５にかかる製造コストも抑制できる。
【００６７】
しかも、同一な板状材料に対して厚みの異なるベース層３７を形成するだけでよいので、コスト削減に寄与しうる。
［その他］
以上、本発明の実施形態について説明したが、本発明は上述の実施形態に限定されるものではなく、本発明の趣旨を逸脱しない範囲内で種々変形して実施することができる。
【００６８】
例えば、上記実施形態では、版胴２及びブランケット胴３にギャップが形成されるが、これらのギャップを互いにずらせるようにすれば、ギャップどうしの噛み合いを防止して、印刷品質を確保することができる。
特に、位相１８０度毎に非印刷部が存在する刷版に対してはギャップ位相を互いに１８０度だけずらせるよう構成すれば、印刷品質の低下を防止できる。
【００６９】
また、スリーブを軸部に装着する際やブランケット又は刷版をスリーブに装着する際に、或いはアンダパッキンを胴本体に装着する際や、ブランケット又は刷版を胴本体に装着する際に、その位相合わせをするための目印をスリーブ等に設けてもよい。これにより、容易に位相合わせを行なえるようになる。
また、上記実施形態を種々組み合わせて実施しても良いことは言うまでもない。
【図面の簡単な説明】
【００７０】
【図１】本発明の第１実施形態としてのバリアブルカットオフ印刷機を示す模式的な構成図であり、（ａ）はその版胴及びブランケット胴の端面図、（ｂ）はその版胴及びブランケット胴の分解正面図であり、そのスリーブについては断面を示している。
【図２】本発明の第１実施形態としてのバリアブルカットオフ印刷機を示す版胴及びブランケット胴のくわえ部を示す断面図である。
【図３】本発明の第１実施形態としてのバリアブルカットオフ印刷機の刷版及びブランケットを示す模式的な斜視図である。
【図４】本発明の第１実施形態としてのバリアブルカットオフ印刷機の刷版及びブランケットの材料を示す模式的な平面図である。
【図５】本発明の第１実施形態としてのバリアブルカットオフ印刷機の刷版及びブランケットを示す模式的な断面図であって、（ａ）はその第１例を、（ｂ）はその第２例を示す。
【図６】本発明の第２実施形態としてのバリアブルカットオフ印刷機の版胴及びブランケット胴の構成を示す模式的な断面図である。
【図７】本発明の第２実施形態としてのバリアブルカットオフ印刷機を示す版胴及びブランケット胴のくわえ部を示す断面図である。
【図８】本発明の第３実施形態としてのバリアブルカットオフ印刷機の版胴及びブランケット胴の構成を示す模式的な断面図である。
【図９】本発明の第４実施形態としてのバリアブルカットオフ印刷機の刷版及びブランケットの構成を示す模式的な断面図であって、（ａ），（ｂ）はその模式的断面図、（ｃ）はその部分拡大断面図である。
【図１０】バリアブルカットオフ印刷機を説明する印刷機の要部の模式的側面図である。
【図１１】従来のバリアブルカットオフ印刷機に関する版胴を示す模式的断面図である。
【図１２】従来のバリアブルカットオフ印刷機に関する技術を示す模式図である。
【図１３】従来のバリアブルカットオフ印刷機に関するスリーブを示す模式的断面図であり、（ａ）〜（ｅ）はそれぞれ厚みの異なるスリーブを示す。
【符号の説明】
【００７１】
１  ウェブ
２，２ａ，２ｂ  版胴
３，３ａ，３ｂ  ブランケット胴
４，４ａ，４ｂ，３４  刷版
５，５ａ，５ｂ，３５  ブランケット
１１  軸部
１２  スリーブ
１３  くわえ部（クランプ）
１３Ａ  溝部
１３ａ  くわえ板
１３ｂ  係止用板ばね
１３ｃ  テンションバー
１３ｄ  板ばね
１３ｅ  ピン
１３ｆ  皿ばね
１３ｇ  切り欠き部
１４ａ，１５ａ，３４ａ，３５ａ  メタルプレート（基部としての金属層）
１４ｂ，３４ｂ  版材
１５ｂ，３５ｂ  ゴム材
２１  胴本体
２２，２３  アンダパッキン（スペーサ部材）
２３ａ，２３ｂ  分割型材
３６  メタル層（メタルプレート）
３７  ベース層（ゴム又は基布）
３８  圧縮層
３９  基布
４０  表面ゴム
４１  版材
【図１】
2008120092.tif 000003
【図２】
2008120092.tif 000004
【図３】
2008120092.tif 000005
【図４】
2008120092.tif 000006
【図５】
2008120092.tif 000007
【図６】
2008120092.tif 000008
【図７】
2008120092.tif 000009
【図８】
2008120092.tif 000010
【図９】
2008120092.tif 000011
【図１０】
2008120092.tif 000012
【図１１】
2008120092.tif 000013
【図１２】
2008120092.tif 000014
【図１３】
2008120092.tif 000015